(57)【特許請求の範囲】
【請求項１】
締付対象物を所定のトルクで締め付けたとき、塗布体が塗布対象物に接触して塗布液を塗布するマーキング機能付き工具において、
前記塗布体を含む塗布体部と、前記塗布液を貯留するための塗布液収容部とが一体に形成された塗布部を有しており、当該塗布部の全体を前記塗布対象物に向かって移動させる塗布部駆動機構を備え、
前記塗布部は、ボールペンレフィルであり、
前記塗布体部は、ボールと、ボールを保持したチップ本体を有するボールペンチップによって形成され、
前記塗布部が外部からの引き抜きにより分離可能であり、外部からの押し入れにより固定可能であり、
ボールが押圧されると、ボールとチップ本体との間に形成された隙間から、インクが外部に垂れ流れるものであり、前記塗布液は、チキソトロピー性が小さい又は無いものであることを特徴とするマーキング機能付き工具。
【請求項２】
先端部分がネジと係合可能な軸体部を有しており、
前記塗布体は、前記軸体部の側方に位置し、前記軸体部の軸方向に沿って移動することを特徴とする請求項１に記載のマーキング機能付き工具。
【発明の詳細な説明】
【技術分野】
【０００１】
本発明は、所定のトルクで締め付けが行われたか否かを確証するために、所定の部分にマーキングを施すマーキング機能付き工具に関するものである。
【背景技術】
【０００２】
工業製品等を組み立てる際、ねじやボルト等の締め付けにトルク調整が必要な場合がある。そして、トルク調整を伴った締付作業に用いる工具として、トルクドライバーやインパクトレンチと呼ばれる工具が広く知られている。
【０００３】
このトルクドライバーやインパクトレンチには、ねじ等が所定のトルク内で締め付けられたか否かを確証するため、マーキング機能を設けたものがある。例えば、特許文献１には、挿入したボルトの頭部にマーキングが可能なインパクトレンチが開示されている。
【０００４】
特許文献１に開示されたインパクトレンチでは、ボルト頭部挿入孔の奥側に、インクを塗布するためのマーク芯を収納するマーク芯ガイド孔が設けられている。そして、ボルト頭部挿入孔の内部空間と、マーク芯ガイド孔の内部空間とが連通した状態となっている。つまり、ボルト頭部挿入孔の内部には、その奥端となる部分に、マーク芯が出退するマーク芯ガイド孔の開口が形成されている。
【０００５】
そして、マーキング機能付き工具のボルト頭部挿入孔にボルトの頭部を挿入し、所定のトルクで締め付けを行うと、締め付けが完了したとき、マーク芯がボルト頭部挿入孔に向かう方向に移動する。この移動により、マーク芯がマーク芯ガイド孔の開口から突出し、ボルト頭部に接触する。このことにより、ボルト頭部の天面にインクが塗布され、ボルト頭部に対するマーキングが行われる。
【０００６】
ところで、特許文献１のインパクトレンチでは、マーク芯を含むマーキング部の構造に、油性マーカー（フェルトペン）の構造を採用している。すなわち、マーク芯は、フェルト、合成繊維、合成樹脂等により形成されたものとなっている。この特許文献１に限らず、マーキング機能を設けた工具では、一般的に、マーキングを行う部分にフェルトペンの構造が採用されている。
【先行技術文献】
【特許文献】
【０００７】
【特許文献１】特開２０１４−１００７５６号公報
【発明の概要】
【発明が解決しようとする課題】
【０００８】
ところで、フェルトペンのペン先部分は、未使用時に外気に晒したまま長時間放置すると、乾燥して使えなくなってしまう。特に揮発性の高い油性インクを使用する場合には、ペン先でのインクの固化がより顕著となってしまう。このため、フェルトペンの構造を採用するインパクトレンチのマーク芯もまた、未使用時に外気に晒したまま長時間放置した場合、ペン先でインクが固化して使えなくなるという問題がある。
【０００９】
この問題を解決するため、特許文献１に開示されたインパクトレンチでは、マーク芯の表面に被膜を形成する特殊インクを採用し、インクの蒸発を抑えている。そして、マーク芯を収納したマーク芯ガイド孔を塞ぐための蓋を別途形成し、未使用時に装着することでマーク芯が乾燥しないようにしている。
【００１０】
しかしながら、高価な特殊インクを採用すると、インパクトレンチの価格が高くなってしまい、且つ、インク充填の度に費用が嵩むので経済的な観点から好ましくない。
また、実際にインパクトレンチを使用していると、使用終了後に使用者が蓋の装着を忘れてしまい、マーク芯が乾燥して使用できなくなる場合がある。すなわち、上記したインパクトレンチでは、マーク芯の乾燥を防ぐために蓋の装着が必要であり、使用者は、使用後の蓋の装着を意識する必要がある。このことは、使用者にとって負担であり、改善の余地があった。
【００１１】
そこで本発明は、使用者に負担をかけずに継続使用が可能であり、安価に提供可能なマーキング機能付き工具を提供することを課題とする。
【課題を解決するための手段】
【００１２】
上記課題を解決するための請求項１に記載の発明は、締付対象物を所定のトルクで締め付けたとき、塗布体が塗布対象物に接触して塗布液を塗布するマーキング機能付き工具において、前記塗布体を含む塗布体部と、前記塗布液を貯留するための塗布液収容部とが一体に形成された塗布部を有しており、当該塗布部の全体を前記塗布対象物に向かって移動させる塗布部駆動機構を備え、前記塗布部は、ボールペンレフィルであり、前記塗布体部は、ボールと、ボールを保持したチップ本体を有するボールペンチップによって形成され、前記塗布部が外部からの引き抜きにより分離可能であり、外部からの押し入れにより固定可能であり、ボールが押圧されると、ボールとチップ本体との間に形成された隙間から、インクが外部に垂れ流れるものであり、前記塗布液は、チキソトロピー性が小さい又は無いものであることを特徴とするマーキング機能付き工具である。
【００１３】
本発明者らが上記課題を解決すべく鋭意研究した結果、塗布体に塗布液が常時供給される構造に比べ、不使用時に塗布体に塗布液が供給されない構造とすることが、乾燥に起因する塗布体の劣化を低減させるにあたって好ましいことが判明した。そこで、使用時にのみ塗布体に塗布液を供給し、安価に製造可能な構造を検証した結果、ボールペンチップの構造を採用するに至った。
本発明のマーキング機能付き工具は、塗布体部にボールペンチップの構造を採用しており、不使用時には、塗布体であるボールに対して塗布液を供給するための開口部分が、ボール自身によって閉塞されることとなる。すなわち、ボールペンチップのボールが、塗布液収容部を自動で密閉する蓋のように作用する。このことにより、不使用時に塗布体に塗布液が供給され続け、塗布体の部分で塗布液が乾燥蒸発し続けるといったことがなく、塗布体での塗布液の乾燥を抑制することができる。すなわち、塗布液の乾燥に起因する機能劣化を大きく抑制することができる。
加えて、塗布体にボールペンチップの構造を採用すると、塗布体に塗布液を含浸させずに塗布対象物に塗布液を塗布可能となる。このことからも、従来のフェルト、合成繊維、合成樹脂等により形成された塗布体に比べ、塗布体を乾き難くすることができる。
つまり、本発明のマーキング機能付き工具は、塗布体に塗布液を含浸させずに塗布液を塗布可能であり、不使用時に塗布液収容部が自動で密閉される構造とすることにより、不使用時に蓋を装着することなく塗布体での塗布液の乾燥を抑制可能としている。このため、使用者は、蓋の装着を意識する必要がなく、手軽に使うことができる。
【００１４】
さらに、本発明のマーキング機能付き工具は、上記したように、塗布体にボールペンチップの構造を採用していることから、塗布体を安価に製造可能となっている。このため、使い切ってしまった塗布液を充填するとき、塗布液収容部を塗布体ごと交換する構造にしてもさほどコストがかからない。
つまり、本発明のマーキング機能付き工具は、塗布体と塗布液収容部を一体に形成し、塗布液の充填時に塗布体ごと交換可能となっている。このことから、塗布液の充填作業において、塗布体と塗布液収容部とを分離したりする必要がなく、塗布液の充填作業が容易に行うことができる。言い換えると、使用者の塗布液の交換作業における負担を軽減することができる。
さらに、塗布液を充填するたびに新たな塗布体を使用することとなるので、仮に塗布体が少々劣化していたとしても、塗布体が完全に使用できなくなるまで劣化する前に交換が行われることとなる。このため、塗布体が完全に劣化してマーキング機能付き工具が使用できなくなるという問題の発生を防止することもできる。
【００１５】
本発明に関連する関連発明は、締付対象物を所定のトルクで締め付けたとき、塗布体が塗布対象物に接触して塗布液を塗布するマーキング機能付き工具において、前記塗布体と、前記塗布液を貯留するための塗布液収容部と、前記塗布体を前記締付対象物に向かって移動させる塗布部駆動機構と、押圧部材を備えた弁機構を有し、前記弁機構は、前記塗布体に対して前記塗布液を供給するための経路を開閉するものであり、前記押圧部材によって閉状態が維持されるように付勢されており、前記塗布体は、塗布対象物に接触する先端部を有する本体部と、弾性変形が可能なリング部材とを有し、前記本体部は、外筒部の内側に配されており、周囲よりも窪んで環状に連続して延びる環状凹部を有し、前記リング部材は、前記環状凹部に装着され、前記閉状態のとき、前記リング部材が前記外筒部の内側部分と接触して弾性変形することを特徴とするマーキング機能付き工具である。
【００１６】
関連発明のマーキング機能付き工具は、塗布体と前記塗布液収容部の間に弁機構を備えており、塗布液収容部から塗布液を供給するための経路を開閉することができる。そして、この弁機構は、押圧部材によって閉状態が維持されるように付勢されている。このため、不使用時になると、塗布液収容部から塗布体への塗布液の供給が自動で遮断され、塗布体に塗布液が供給されることがない。このことにより、不使用時における塗布体での塗布液の乾燥を抑制することが可能となる。
【００１７】
請求項２に記載の発明は、先端部分がネジと係合可能な軸体部を有しており、前記塗布体は、前記軸体部の側方に位置し、前記軸体部の軸方向に沿って移動することを特徴とする請求項１に記載のマーキング機能付き工具である。
本発明では、前記塗布液は、チキソトロピー性が小さい又は無いものである。
【００１８】
本発明のマーキング機能付き工具は、このような構成であることが好ましい。
【００１９】
本発明の関連発明は、締付対象物を所定のトルクで締め付けたとき、塗布体が塗布対象物に接触して塗布液を塗布するマーキング機能付き工具において、前記塗布体を含む塗布体部と、前記塗布液を貯留するための塗布液収容部とが一体に形成された塗布部を有しており、当該塗布部の全体を前記塗布対象物に向かって移動させる塗布部駆動機構を備え、前記塗布部は、ボールペンレフィルであり、前記塗布体部は、ボールと、ボールを保持したチップ本体を有するボールペンチップによって形成され、前記塗布部が外部からの引き抜きにより分離可能であり、外部からの押し入れにより固定可能であり、ボールが押圧されると、ボールとチップ本体との間に形成された隙間から、インクが外部に垂れ流れるものであり、前記塗布液を加圧する加圧機構を備えていることを特徴とするマーキング機能付き工具である。
【００２０】
かかる構成によると、塗布液に圧力をかけて強制的に吐出させることが可能となる。このため、仮に塗布液の吐出口となる部分が上方に向かって開口した状態であっても、塗布液を重力に逆らって上方に流すことが可能となる。
詳細に説明すると、例えば、上側に位置する締付対象物を締め付ける場合、下側に位置する締付対象物を締め付ける場合と比べて、マーキング機能付き工具の姿勢を上下逆の姿勢とすることがある。この場合、下側に位置する締付対象物を締め付ける際に下方に向かって開口していた塗布液の吐出口となる部分は、上方に向かって開口した状態となる。ここで、塗布液の吐出口となる部分が上方に向かって開口している場合、重力に逆らう方向に塗布液を流す必要があり、塗布液が流れ難くなってしまう。
そこで、本発明のマーキング機能付き工具では、加圧機構を備える構成とし、塗布液を吐出口となる部分に向かって強制的に流すことを可能としている。このことにより、例え塗布液を重力に逆らう方向に流す場合であっても、塗布液を円滑に流すことが可能となる。このことにより、マーキング機能付き工具がどのような姿勢であっても、塗布液を塗布体に安定して供給可能であり、確実にマーキングを行うことが可能となる。
【発明の効果】
【００２１】
本発明によると、塗布体での塗布液の乾燥を抑制可能であり、塗布液の交換作業における使用者の負担を軽減することができる。さらに、塗布体が使用できなくなるまで劣化してしまい、マーキング機能付き工具そのものが使用できなくなるという問題の発生を防止することができる。このことから、使用者に負担をかけずに継続使用が可能となる。
また、本発明によると、マーキング機能付き工具を安価に提供することができる。
【図面の簡単な説明】
【００２２】
【図１】本発明の実施形態に係るトルクドライバーを示す斜視図である。
【図２】図１の芯体を示す側面図である。
【図３】図１のボールペンチップを示す断面図である。
【図４】図１のボールペンチップの先端部分を示す図であり、（ａ）は軸方向に平行な面で切断した状態を示す断面図であり、（ｂ）は（ａ）のＡ−Ａ面で切断した状態を示す断面図である。
【図５】図１のトルクドライバーが行うマーキング動作を示す説明図であり、（ａ）は芯体が後端側に位置する状態を示し、（ｂ）は（ａ）の状態から芯体が先端側へ移動した状態を示す。
【図６】図１のトルクドライバーが行うマーキング動作時のボールペンチップを示す説明図であり、（ａ）は塗布対象物に接触していない状態、（ｂ）は塗布対象物と接触することでボールが後端側に押し込まれた状態を示す。
【図７】図１とは異なる実施形態に係る芯体のペン先部分を示す断面図である。
【図８】図７の外筒部を示す断面図である。
【図９】図７の塗布体形成部を示す分解斜視図である。
【図１０】図７とは異なる塗布体形成部の先端部分を示す説明図であり、（ａ）と（ｂ）はそれぞれ異なる形状の先端部分を示す。
【図１１】図１とは異なる実施形態に係るトルクドライバーを示す斜視図である。
【図１２】図１１のトルクドライバーが行うマーキング動作を示す説明図であり、（ａ）は芯体が後端側に位置する状態を示し、（ｂ）は（ａ）の状態から芯体が先端側へ移動した状態を示す。
【図１３】図１、図１１とは異なる実施形態に係るトルクドライバーが行うマーキング動作を示す説明図であり、（ａ）〜（ｃ）の順に芯体が先端側へ移動していく様子を示す。
【図１４】図１、図１１、図１３とは異なる実施形態に係るトルクドライバーが行うマーキング動作を示す説明図であり、（ａ）〜（ｃ）の順に芯体が先端側へ移動していく様子を示す。
【図１５】本発明の実施形態に係るトルクドライバーで採用可能な加圧式の芯体を示す断面図である。
【発明を実施するための形態】
【００２３】
以下さらに、本発明の実施形態について図面を参照しつつ詳細に説明する。なお、以下の説明では、「前後」の関係は、ドライバーの先端側を前側、グリップ側を後側として説明する。
【００２４】
本実施形態のトルクドライバー１（マーキング機能付き工具）は、図１で示されるように、グリップ部２、トルク調整部３、ビット取付部４、マーキング部５を備えている。そして、ビット取付部４には、複数種類の中から選択されたビット６（軸体部）が交換可能に固定された状態となっている。
【００２５】
このトルクドライバー１は、ビット６の先端部分をネジやボルト等の締付対象物に係合させ、グリップ部２を把持して締付方向に回転させることにより、締付対象物を締め付る締付作業が可能となっている。
そして、締付作業が開始され、所定のトルクで締め付けが行われると、マーキング部５の芯体７（塗布部）が先端側（図１における下方側）に移動する。このことにより、芯体７の先端部が締付対象物又はその近傍の部分に接触し、マーキングが行われることとなる。
【００２６】
グリップ部２は、使用者が把持するための部分であり、外表面に滑り止めの凹凸が形成されている。また、グリップ部２の内側には、トルク調整部３の一部が内蔵された状態となっている。
【００２７】
トルク調整部３は、外部に露出するメモリ部８と、グリップ部２及び本体部分に内蔵されたトルク調整機構（図示せず）とを有している。
トルク調整機構は、グリップ部２の内部に一体に固定される主軸部と、主軸部及びビット取付部４と連結する連結部と、メモリ部８で設定したトルクで締め付けられたとき、主軸部に対して連結部を空転させるためのトルクリミッタとを備えた構成となっている。
【００２８】
なお、締め付けトルクが所定内に達したことを検知する機構には、スプリングを用いたバネ式のものでもよく、ストレインゲージを備えたセンサプレートを設けて締め付け時にセンサプレートの歪みを検知する電気式のものでもよく、エア圧を用いたエア式のものでもよい。
【００２９】
マーキング部５は、芯体７と芯体作動部（塗布部駆動機構，図示しない）を有している。
【００３０】
芯体７は、ボールペンチップ９（塗布体部）と、インク貯留管１０（塗布液収容部）とが一体になったボールペンレフィルの構造を採用している。この芯体７の詳細については後述する。
【００３１】
芯体作動部は、芯体７の後端（又は中途部分）を保持するための芯体保持部（図示しない）を備えており、この芯体保持部がトルク調整部３とカムを介して連結されている。すなわち、芯体保持部は、トルク調整部３と連動可能となってなっている。
より詳細には、メモリ部８で設定したトルクで締め付けられたとき、芯体保持部が前側へと移動し、芯体７の先端部分が前側へと移動する構造となっている。
【００３２】
ビット６は、先端部分の形状がプラスドライバーとなっているものや、マイナスドライバーとなっているもの、六角ドライバーとなっているもの等、様々な形状に加工されたものがある。そして、本実施形態のトルクドライバー１では、ねじやナット等の締付対象物の形状に応じた形状のビット６を選択し、ビット取付部４に固定することで様々な種類の締付対象物を締め付け可能となっている。
【００３３】
続いて、本実施形態のトルクドライバー１で採用されている芯体７について具体的に説明する。
【００３４】
芯体７は、図２で示されるように、内部にインク（塗布液）を貯留可能なインク貯留管１０の片側端部（前側端部）にボールペンチップ９が固定されて形成されている。
【００３５】
ボールペンチップ９は、図３で示されるように、チップ本体１５、ボール１６（塗布体）、付勢部材１７を備えた構造となっている。
【００３６】
チップ本体１５は、外形が略円錐状の筒体である先端側部分２０と、略円筒状の後端側部分２１とが一体となっている。
【００３７】
先端側部分２０には、図４で示されるように、その先端を内向きに屈曲して形成される先端屈曲部２５が設けられている。そして、先端屈曲部２５及びその近傍の内側には、ボール１６を支持するためのボールハウス２７が形成され、そのさらに後側に中心孔２８が形成されている。
【００３８】
ボールハウス２７は、側壁面３２、接続面３３、座面３４に囲まれた空間となっている。
側壁面３２は、先端屈曲部２５の内周壁を形成する面であり、接続面３３と略垂直に交わっている。また、接続面３３は、側壁面３２と座面３４の間に位置しており、径方向における一端側が側壁面３２と連続し、他端側が座面３４と連続した状態となっている。そして、座面３４は、インクを塗布するときにボール１６が接触する面であり、ボール１６を座打ちすることで形成されている。
【００３９】
ここで、図４で示されるように、中心孔２８の外側に位置する部分には、矢溝３６が形成されている。
この矢溝３６は、ボールハウス２７と、後方に位置する空間（図３等参照）との間に設けられ、軸方向に沿って延びている。つまり、ボールハウス２７と後方に位置する空間とを連通する溝となっている。本実施形態では、３つの矢溝３６が形成されており、この３つの矢溝３６がそれぞれ周方向で離れた状態となっている。
【００４０】
後端側部分２１は、図３で示されるように、比較的径の大きな大径部２１ａと、大径部２１ａよりも後方に位置する小径部２１ｂから形成されており、大径部２１ａと小径部２１ｂとは段差を介して連続している。この小径部２１ｂは、インク貯留管１０との連結時にインク貯留管１０の内側に挿通される部分である。
【００４１】
ボール１６は、一部が外部に露出した状態で回転可能に保持されている。
【００４２】
付勢部材１７は、図３で示されるように、コイルバネ状の本体部１７ａと、本体部１７ａから延びる棒状部１７ｂから形成されている。棒状部１７ｂは、一端側が本体部１７ａと連続しており、他端側がボール１６と接触した状態となっている。この付勢部材１７は、ボール１６よりも後側に取り付けられており、ボール１６を常時付勢した状態となっている。
【００４３】
インク貯留管１０は、細長い円筒状であり、内部にインクが貯留された状態となっている。このインク貯留管１０の内部では、インクが貯留された部分より後端側の部分に、グリース状の詰め栓（図示せず）が充填されている。すなわち、インク貯留管１０は、後端開放部分からのインクの蒸発を防止可能な構造となっている。
【００４４】
次に、本実施形態のトルクドライバー１の動作について説明する。以下の説明では、先端部分の形状がプラスドライバーであるビット６により、頭部に十字溝が形成されたねじ（締付対象物，塗布対象物）を締め付ける締付作業を例に挙げて説明する。
【００４５】
予めメモリ部８を操作し、メモリを目的のトルク値に合わせた状態としておく。その後、図５（ａ）で示されるように、ビット６の先端部分をねじの頭部に係合させ、トルクドライバー１を締付方向に回転させることで、ねじを締め付けていく。
【００４６】
所定のトルクで締め付けが行われると、トルクリミッタにより、主軸部及びビット取付部４と連結する連結部が、グリップ部２の内部に一体に固定される主軸部に対して空転する状態となる。この状態では、グリップ部２を把持してトルクドライバー１を回しても、ねじがそれ以上締まることはなく、締付作業におけるオーバートルクを防止することができる。
【００４７】
また、所定のトルクで締め付けが行われると、トルク調整部３と連動することにより、芯体７を保持する芯体保持部が先端側（前側）へと移動する。このことにより、図５（ｂ）で示されるように、芯体７の先端部分がネジの頭部に接触する。
【００４８】
この状態から、芯体７がさらに先端側へ移動しようとすることで、芯体７の先端部分に取り付けられたボール１６がネジの頭部に押し付けられることとなる。すると、図６で示されるように、芯体７の先端に取り付けられたボール１６が、ネジの頭部から反力を受けて後方側へ押圧されることとなる。すると、図６（ｂ）で示されるように、先端屈曲部２５とボール１６の間に隙間が形成された状態となる。
【００４９】
具体的に説明すると、ボール１６が塗布対象物に接触しない状態では、付勢部材１７がボール１６を先端側に向って常時付勢していることから、図６（ａ）で示されるように、ボール１６が先端屈曲部２５の先端側の部分とが隙間なく密着している状態となる。このことから、ボールハウス２７が外部に対して密閉された状態となる。
【００５０】
対して、ボール１６が後端側に押圧されると、ボール１６が付勢力に抗して後方へ移動することにより、図６（ｂ）で示されるように、ボール１６と先端屈曲部２５の先端側の部分との間に隙間が形成され、ボールハウス２７が外部と連通した状態となる。
ここで、上記したように、ボールハウス２７は、中心孔２８等を介して後方に位置する空間、すなわち、インク貯留管１０の内部空間と連続する空間となっている。このため、ボール１６と先端屈曲部２５の先端側の部分との間に隙間が形成されると、ボールハウス２７とインク貯留管１０の内部空間とが連続して形成される空間が、外部と連続した状態となる。言い換えると、芯体７の内部空間が外部と連続した状態となる。このことにより、インク貯留管１０の内部に貯留されたインクがボールハウス２７側に流れ、ボール１６にインクが供給されることとなる。この状態において、ボール１６が塗布対象物となるネジの頭部に接触し、インクが塗布対象物に塗布されることとなる。つまり、ボール１６と先端屈曲部２５の先端側の部分との間に形成された隙間から、インクが外部に垂れ流れ、ネジの頭部に付着することとなる。
【００５１】
このように、本実施形態では、ボール１６が不使用時に芯体７の内部空間を外部に対して密閉し、マーキング動作時に芯体７の内部空間と外部とが連通した状態とする。すなわいち、ボール１６は、芯体７の内部空間の密閉状態と連通状態とを切替える弁のように作用する。このことにより、不使用時にインクが塗布体に供給され続けるということがなく、塗布体でのインクの乾燥を抑制することが可能となる。
【００５２】
さらに、本実施形態では、先端側に開口した芯体突出孔３８（図１参照）から芯体７を突出可能な構成とし、外部から芯体７の付け替え可能な構成としている。
すなわち、芯体７を芯体突出孔３８から引き抜いて分離し、新たな芯体７を芯体突出孔３８に押し入れて芯体保持部に固定するだけで、芯体７の交換が可能となっている。このことから、芯体７の交換作業時に芯体７を固定している部分を分解したりする必要がなく、交換作業を簡易化できる。
【００５３】
なお、特に限定されるものではないが、インク貯留管１０に貯留されるインクは、塗布体に対してインクを安定して供給するという観点から、所謂チキソトロピー性が小さい又は無いものが好ましい。すなわち、撹拌した状態と静置した状態とで流動性の変化が少ない又は無いものが好ましい。
【００５４】
上記した実施形態では、塗布対象物に接触するボール１６を弁として機能させる例、すなわち、芯体７の内部空間の密閉状態と連通状態とを切替える弁として機能させる例を示したが、本発明はこれに限るものではない。
例えば、図７で示されるように、塗布対象物に接触する部分よりも後端側に弁として機能する部分（弁機構）を設けた塗布具用チップ１０９（塗布体部）を採用してもよい。この塗布具用チップ１０９の構造につき、以下で詳細に説明する。
【００５５】
この塗布具用チップ１０９は、インク貯留管１０（図７では図示しない）の片側端部に固定されるものであり、塗布具用チップ１０９の内部空間とインク貯留管１０の内部空間とは連続する一体の空間となっている。すなわち、塗布具用チップ１０９は、インク貯留管１０の内部に貯留されたインクを先端開口部１１０から吐出し、塗布対象物に塗布することが可能な構造となっている。
【００５６】
この塗布具用チップ１０９は、外筒部１１５、塗布体形成部１１６（塗布体）、コイルバネ状の付勢部材１１７（押圧部材）を備えた構造となっている。
【００５７】
外筒部１１５は、図８で示されるように、内部に空間が形成されている。この空間は、先端に形成された先端開口部１１０から後端に形成された後端開口部１２０までの間に形成され、外筒部１１５を貫通した状態となっている。
【００５８】
先端開口部１１０の近傍では、外筒部１１５の内径が先端側に向うにつれて狭径となるように形成されている。より詳細には、先端開口部１１０の近傍に、角度の異なる２つのテーパー面が形成されている。すなわち、先端側に位置して先端開口部１１０と連なる第１テーパー面１２１と、第１テーパー面１２１の後側に位置し、第１テーパー面１２１と連なる第２テーパー面１２２とが形成されている。
【００５９】
第１テーパー面１２１は、第２テーパー面１２２よりもテーパー角が小さくなっており、より急な傾斜面となっている。このことから、第１テーパー面１２１と第２テーパー面１２２の境界部分１２５は、内側に向って突出する突起状の部分となっている。
【００６０】
塗布体形成部１１６は、図９で示されるように、本体部１３０の環状凹部１３７にリング部材１３２を嵌め込んで固定することにより、形成されている。
【００６１】
本体部１３０は、先端側に丸みを帯びて凸となる先端突起部１３５と、先端突起部１３５の後方に位置する円錐状部１３６と、周囲よりも窪んでおり環状に連続して延びる環状凹部１３７と、円柱状部１３８と、円柱状部１３８よりも径の小さい棒状部１３９が一体に形成されている。
【００６２】
先端突起部１３５は、最先端部分が半球状となった突起であり、塗布対象物に接触する部分となっている。
【００６３】
円錐状部１３６は、先端側に向うにつれて狭径となるように形成された部分である。そして、この円錐状部１３６のテーパー角は、上記した第１テーパー面１２１（図８参照）のテーパー角と同一（又は略同一）となっている。すなわち、円錐状部１３６を第１テーパー面１２１に後方側から押し当てると、面接触するように形成されている。
【００６４】
環状凹部１３７は、リング部材１３２が略丁度嵌り込む形状となっており、周方向に垂直な面で切断したときの断面形状が円弧状となっている。ここで、この円弧状の部分の曲率は、リング部材１３２の表面の曲率と同一（又は略同一）となっている。
このため、リング部材１３２を環状凹部１３７に装着すると、リング部材１３２の表面と環状凹部１３７とが面接触し、密着した状態となる（図７参照）。
【００６５】
円柱状部１３８は、付勢部材１１７の先端側が接触する部分であり、後方側の部分よりも太く形成された部分である（図７参照）。
【００６６】
棒状部１３９は、付勢部材１１７の内側に挿入される部分であり、外形が丸棒状となっている（図７参照）。
【００６７】
リング部材１３２は、弾性変形が可能なゴム製のＯリングであり、断面形状が略円形であって、環状に延びている。
【００６８】
ここで、塗布具用チップ１０９は、図７で示されるように、環状凹部１３７にリング部材１３２を嵌め込んで形成される塗布体形成部１１６を外筒部１１５の内側に配している。そして、塗布体形成部１１６は、付勢部材１１７によって常時先端側へ押圧された状態となっている。
【００６９】
このとき、リング部材１３２の径方向の端部は、同じ方向における本体部１３０の端部よりも外側に位置している。すなわち、リング部材１３２は外側に向かって凸となるように、本体部１３０から盛り上がった状態となっている。
【００７０】
また、先端突起部１３５は、先端開口部１１０から外側に突出しており、円錐状部１３６は、第１テーパー面１２１と面接触した状態となっている。そして、リング部材１３２と第２テーパー面１２２とが密着した状態となっている。
【００７１】
すなわち、この塗布具用チップ１０９では、円錐状部１３６と第１テーパー面１２１が面接触する部分と、リング部材１３２と第２テーパー面１２２とが密着する部分の２箇所において、内部空間を密閉する構造となっている。このように複数個所で密閉する構造によると、より気密性を高めることが可能となる。
【００７２】
また、リング部材１３２が弾性変形可能な部材であるため、第２テーパー面１２２に押し付けられると、接触した第２テーパー面１２２に合わせて弾性変形する。このことにより、リング部材１３２と第２テーパー面１２２とが隙間なく密着するので、高い気密性を発揮することが可能となる。
【００７３】
そして、この塗布具用チップ１０９もまた、先端に位置する先端突起部１３５が塗布対象物に接触し、塗布体形成部１１６が後方へ押圧されることで、円錐状部１３６と第１テーパー面１２１の間と、リング部材１３２と第２テーパー面１２２の間に隙間が形成され、塗布可能な状態となる。すなわち、不使用時には、内部空間が外部に対して密閉され、マーキング動作時には、内部空間と外部とが連通した状態となる。このことにより、不使用時にインクが塗布体に供給され続けるということがなく、塗布体でのインクの乾燥を抑制することが可能となる。
なお、本体部１３０は、樹脂又は金属材料によって形成された硬質の部材となっており、先端突起部１３５にインクを含浸することなく、インクの塗布が可能となっている。
【００７４】
この塗布具用チップ１０９では、円錐状部１３６を第１テーパー面１２１と面接触する構成としたが、本発明はこれに限るものではない。本体部１３０や第１テーパー面１２１の形状は、適宜変更してもよい。
例えば、図１０（ａ）で示されるように、円錐状部１３６に替わって角錐状部１４６を設けた塗布体形成部１４７であってもよい。また、図１０（ｂ）で示されるように、断面形状が略三角形状で厚さ方向（長さ方向に直交する方向）に延びる塗布体形成部１４８であってもよい。すなわち、平面状の傾斜面１４９を互いに対向する位置に設けてもよい。
【００７５】
本発明で採用するペン先部分は、上記したボールペンチップ９のように、塗布対象物と接触する部分を弁として機能させてもよく、塗布具用チップ１０９のように、塗布対象物と接触する部分の後方側を弁として機能させてもよい。不使用時にインクを貯留している空間が自動で密閉され、塗布対象物と接触する部分にインクが供給され続けなければよい。
また、上記したボールペンチップ９のように、密閉する部分を１箇所としてもよく、塗布具用チップ１０９のように、密閉する部分を２箇所としてもよい。すなわち、１箇所で密閉する構造でもよく、複数個所で密閉する構造であってもよい。しかしながら、複数個所で密閉する構造によると、気密性の向上を図ることができるので、好ましい。
【００７６】
上記した実施形態では、芯体７をビット６に沿って移動させる例を示したが、本発明はこれに限るものではない。例えば、図１１、図１２で示されるトルクドライバー１６０（マーキング機能付き工具）のように、芯体１６７（塗布部）が斜め方向に突出する構成としてもよい。
【００７７】
このトルクドライバー１６０では、芯体１６７が締付対象物に近づく方向に移動するにつれて、芯体１６７の先端がビット６に近接していく構造となっている。すなわち、芯体１６７がビット６から径方向に離れた位置から突出すると共に、芯体１６７の移動方向がビット６の長手方向に対して傾斜する方向となっている。
【００７８】
また、図１３で示されるように、芯体１７７（塗布部）の移動方向を規制する移動規制部材１７８を設け、芯体１７７が弧を描く軌道に沿って移動する構造としてもよい。
【００７９】
移動規制部材１７８は、少なくとも一部が円弧状に湾曲して延びる移動規制溝１７９を有し、移動規制溝１７９の先端開口は、移動規制溝１７９の後端部分よりもビット６に近接する位置に形成されている。すなわち、移動規制溝１７９はビット６に近付く方向に曲がった部分を有する溝となっている。
【００８０】
また、芯体１７７のインク貯留管１０が樹脂等の可撓性を有する部材で形成されており、弾性変形可能な状態となっている。そして、芯体１７７が移動規制溝１７９に後端側から挿入された状態となっている。
【００８１】
このことにより、芯体１７７が先端側に向かって移動すると、移動規制溝１７９によって移動が規制され、芯体１７７の先端部分がビット６に近づくこととなる。すなわち、芯体１７７のインク貯留管１０が移動規制溝１７９に沿って湾曲した状態となり、芯体１７７が湾曲しつつ延在することとなる。
【００８２】
上記した実施形態では、締付対象物であるねじの頭部にマーキングを施す例を示したが、本発明はこれに限るものではない。ネジの周囲に位置する部材や壁面にマーキングを施してもよい。すなわち、締付対象物と塗布対象物は同一であってもよく、異なるものであってもよい。そして、上記した実施形態では、芯体１６７，１７７の先端がビット６に近付く方向に移動する例を示したが、本発明はこれに限るものではない。ビット６から離れる方向に移動してもよい。
すなわち、図１４で示されるようなトルクドライバー１８５（マーキング機能付き工具）であってもよい。
【００８３】
このトルクドライバー１８５には、径方向外側に向かって突出する移動規制突起１８７が設けられている。この移動規制突起１８７は、芯体１８８（塗布部）が最も後端側に位置した状態（図１４（ａ）で示される状態）において、芯体１８８の前方（先端側）に形成されている。すなわち、芯体１８８が先端側へ直進したとき、その直進軌道上に移動規制突起１８７が形成されている。言い換えると、芯体１８８が直進したとき、その進路を塞ぐように、移動規制突起１８７が位置している。そして、この移動規制突起１８７は丸みを帯びて凸となる形状となっている。
【００８４】
そして、芯体１８８のインク貯留管１０もまた、樹脂等の可撓性を有する部材で形成されており、弾性変形可能な状態となっている。
【００８５】
このことから、芯体１８８が直進していくと、芯体１８８の先端が移動規制突起１８７に後方側から当接することとなる。そして、そのまま芯体１８８が直進しようとすることで、芯体１８８の先端が移動規制突起１８７の表面に沿って移動し、移動規制突起１８７の外側に位置することとなる（図１４（ｂ）参照）。この状態から、芯体１８８がさらに先端側へ移動することで、図１４（ｃ）で示されるように、移動規制突起１８７がインク貯留管１０に対して内側から接触することとなる。このことにより、インク貯留管１０が外側に向かって曲がった状態となり、芯体１８８の先端が最も後端側に位置した状態（図１４（ａ）で示される状態）よりも外側に位置することとなる。
そして、芯体１８８の先端部分がネジを締め付けた壁の表面（塗布対象物）に接触し、マーキングが施されることとなる。
【００８６】
上記した実施形態では、トルクドライバーに１つの芯体を設け、突出させる例を示したが、本発明はこれに限るものではない。
例えば、複数の芯体を設け、それぞれ異なる位置から突出させる構成としてもよい。すなわち、マーキング動作を実施する芯体を切替可能とし、マーキング位置を可変可能な構造としてもよい。
【００８７】
上記した実施形態では、本発明をトルクドライバーに適用した例を示したが、本発明はこれに限るものではない。例えば、インパクトドライバーやインパクトレンチ等のトルク調整機構と、上記実施形態の芯体作動部を連動させてもよい。すなわち、本発明のマーキング機能付き工具は、インパクトドライバーやインパクトレンチであってもよい。所定のトルクで締付対象物の締め付けが可能な工具であればよい。
【００８８】
上記した説明では、ビット６の先端を下方に向けた状態でネジの締め付けを行う例を示した。しかしながら、使用者が実際にトルクドライバー１を使用する際には、ビット６の先端を上側に向けた状態や、ビット６を水平にした状態で使用する場合がある。すなわち、ネジの上側にトルクドライバー１が位置した状態（図５参照）だけでなく、ネジの下側にトルクドライバー１が位置した状態や、ネジの側方にトルクドライバー１が位置した状態で締付作業を実施することがある。このため、トルクドライバー１は様々な姿勢で使用されることとなる。
【００８９】
ここで、ビット６の先端が上側に向いた状態で使用する場合、芯体７の先端もまた上側を向いた状態となる。このとき、芯体７の先端が下向きの場合に比べ、インクが吐出され難くなってしまうことが考えられる。すなわち、芯体７の先端が上向きの場合、重力の作用によってインクが下側へ流れようとするので、芯体７の先端が位置する上方へ向かってインクが流れ難くなってしまう。この結果、芯体７の先端からインクが安定して吐出されない可能性がある。つまり、芯体７の先端が下向きでない場合には、芯体７の先端からインクが吐出され難くなることが考えられる。
また、芯体７の先端を上側に向けた場合、芯体７の先端側からインク貯留管１０に空気が流入してしまい、インクが逆流してしまう可能性がある。
【００９０】
このことから、本発明のマーキング機能付き工具は、塗布液を加圧可能な構造とすることが好ましい。すなわち、インクに圧力をかけて強制的に吐出させることにより、芯体の姿勢に関わらず円滑にインクを吐出可能な構造とすると共に、インクの逆流を防止することが好ましい。このことにつき、以下でより詳細に説明する。
【００９１】
塗布液を加圧する構造として、例えば、上記した芯体７に替わって加圧式の芯体１９０を採用する構造としてもよい。
【００９２】
芯体１９０は、図１５で示されるように、インク貯留管１９３（塗布液収容部）の内部にインクを充填し、さらに後端側から潤滑剤、密閉剤、逆流防止剤等（図中の符号１９５で示す部分であり、以下、単に潤滑剤等１９５とも示す）を入れ込んだ状態とする。
そして、潤滑剤等１９５のさらに後端側から押圧片１９６、バネ１９７を入れ込み、インク貯留管１９３の後端部分に尾栓１９８を取り付けた状態とする。
【００９３】
このことにより、インク貯留管１９３の内部空間では、前端側（ボールペンチップ９側）から後端側に向かってインク、潤滑剤等１９５、押圧片１９６、バネ１９７が順に配された状態となる。そして、これら潤滑剤等１９５、押圧片１９６、バネ１９７が常時インクを加圧する加圧機構として機能する。すなわち、この加圧機構は、インク貯留管１９３と一体に形成される機構となっている。
【００９４】
このとき、尾栓１９８の後端面（図１５では上端面）では、その中心部分に内外を連通する通気孔２００が設けられている。つまり、この通気孔２００は、尾栓１９８の後端面（図１５では上端面）を形成する部分をインク貯留管１９３の長さ方向に貫通する貫通孔となっている。
【００９５】
また、尾栓１９８の前端部分は、インク貯留管１９３の内部に挿入されており、バネ１９７の後端部分が尾栓１９８の前端面に当接する構成となっている。このような構成によると、尾栓１９８のインク貯留管１９３に対する挿入長さを調節するだけで、バネ１９７の縮み量を調整することができる。
すなわち、尾栓１９８の挿入長さを長くすると、バネ１９７はより縮んだ状態で配されることとなる。対して、尾栓１９８の挿入長さを短くすると、バネ１９７はより長く伸びた状態で配されることとなる。つまり、上記した構成とすることにより、バネ１９７の縮み量及び配置位置の設定が容易となる。
【００９６】
なお、このようにインクを加圧する加圧機構を設けた場合、加圧機構を設けない場合とは異なり、所謂チキソトロピー性が比較的大きいものが好ましい。すなわち、撹拌した状態と静置した状態とで流動性の変化が比較的大きいものが好ましい。
【００９７】
また、本発明の加圧機構は、弾性部材（バネ１９７）によってインクを後端側から押圧する加圧機構に限らず、弾性部材を設けない構造であってもよい。このような構造として、例えば、芯体と圧縮空気を内部に封入する外筒を設け、封入された圧縮空気によってインクを加圧する加圧機構であってもよい。
【符号の説明】
【００９８】
１，１６０，１８５  トルクドライバー（マーキング機能付き工具）
７，１６７，１７７，１８８，１９０  芯体（塗布部）
６  ビット（軸体部）
９  ボールペンチップ（塗布体部）
１０，１９３  インク貯留管（塗布液収容部）
１６  ボール（塗布体）
１０９  塗布具用チップ（塗布体部）
１１６  塗布体形成部（塗布体）
１１７  付勢部材(押圧部材)
【図１】
0006624712.tif 000002
【図２】
0006624712.tif 000003
【図３】
0006624712.tif 000004
【図４】
0006624712.tif 000005
【図５】
0006624712.tif 000006
【図６】
0006624712.tif 000007
【図７】
0006624712.tif 000008
【図８】
0006624712.tif 000009
【図９】
0006624712.tif 000010
【図１０】
0006624712.tif 000011
【図１１】
0006624712.tif 000012
【図１２】
0006624712.tif 000013
【図１３】
0006624712.tif 000014
【図１４】
0006624712.tif 000015
【図１５】
0006624712.tif 000016